(57)【要約】【課題】アイロン本体とスタンドから成るアイロン装置において、小型化したアイロン本体とそのアイロンを効率よく収納するためのスタンドを提供することにより小型のアイロン装置を提供するものである。【解決手段】ベース４の上方が表面カバー８で覆われた半球状のアイロン本体２を上部に開口部を有するスタンド３に収納する際に開口部が表面カバー８と嵌合し、また嵌合した時にアイロン本体２とスタンド３とが球状をなす構成とすることによりコンパクトで美観に優れ、安全で使い勝手の良いアイロン装置を提供できる。【選択図】  図５
2004275372.tif 000002
【特許請求の範囲】
【請求項１】
ヒータにより加熱されるベースの上方が表面カバーで覆われた半球状のアイロン本体と、上部に開口部を有し前記開口部が前記表面カバーと嵌合することにより前記ベースを覆い前記アイロン本体とで球状をなすスタンドとを備えたアイロン装置。
【請求項２】
スタンドの内周壁とベース外縁部との間に隙間を設けた請求項１記載のアイロン装置。
【請求項３】
スタンドとアイロン本体における表面カバーとの接合部に相係合する段部をそれぞれ設けた請求項１又は２に記載のアイロン装置。
【請求項４】
それぞれの段部間の径方向に隙間を設け、前記隙間はスタンド内壁部とベース外縁部との隙間より狭くした請求項３に記載のアイロン装置。
【請求項５】
それぞれの段部の輪郭形状を略円形状とした請求項３に記載のアイロン装置。
【請求項６】
それぞれの段部の輪郭形状を略正多角形状とした請求項３に記載のアイロン装置。
【請求項７】
スタンドの内周壁にベースのガイド部を設けた請求項１記載のアイロン装置。
【請求項８】
スタンドの底面を平坦にし、前記平坦状の底面に耐熱性の脚を複数設けた請求項１記載のアイロン装置。
【発明の詳細な説明】
【０００１】
【発明の属する技術分野】
本発明は、アイロン本体とアイロン本体を収納するスタンドを備えたアイロン装置に関するものである。
【０００２】
【従来の技術】
従来のこの種のアイロン装置は、アイロン本体と、加熱時および収納時にこのアイロン本体を載置する載置台と、収納時にアイロン本体を覆い、載置台と係合してアイロン本体を収納する収納ケースとで構成されている。
【０００３】
アイロン本体は、埋設したヒータにより加熱される略三角形状のベースと、ベースの上面側を覆うベースカバーと、ベースカバー上に設置した把手体を固定し、把手体の上部には内部を中空にした棒状の握り部を形成している。また、ベースはベースカバーに対して外側に形成されており、ベースの表面積を広くすることにより、アイロン掛けを行い易くしている。
【０００４】
また、アイロン本体とアイロン本体を覆う収納ケースと底部を載置台により構成されたアイロンの収納装置とすることにより、運搬が容易となり、また載置台に置かれたアイロン掛け面が加熱しているアイロンに人が触れることを防止するものである（例えば特許文献１参照。）。
【０００５】
【特許文献１】
特開平１−１０４２９７号公報
【０００６】
【発明が解決しようとする課題】
しかしながら、上記従来のアイロンに限らず一般的なアイロンではベースカバー上に把手体を固定し、把手体の上部には内部を中空にした棒状の握り部を形成しており、アイロン本体の小型化には構造上の限界があった。
【０００７】
また、上記アイロンの収納を行うためにアイロン本体に収納ケースを覆い被せるため、アイロン装置は更に大きなものとなっていた。
【０００８】
本発明は、上記構造上の限界を克服しアイロン本体の小型化を実現すると共に小型化したアイロンを効率よく収納するためのスタンドを提供し、アイロン本体とスタンドから成り、小型で安全で、かつ使い勝手の良いアイロン装置を提供するものである。
【０００９】
【課題を解決するための手段】
上記課題を解決するために本発明は、ヒータにより加熱されるベースの上方が表面カバーで覆われた半球状のアイロン本体と、上部に開口部を有し前記開口部が前記表面カバーと嵌合することにより前記ベースを覆い、前記アイロン本体と前記スタンドとが球状をなすアイロン装置とすることにより、アイロン本体とスタンドから成るアイロン装置をコンパクトに纏め上げ、アイロン装置が球状となっていることから美観を起こすだけでなく、安全で使い勝手の良いアイロン装置を提供するものである。
【００１０】
【発明の実施の形態】
上記課題を解決するために本発明は、ヒータにより加熱されるベースの上方が表面カバーで覆われた半球状のアイロン本体と、上部に開口部を有し前記開口部が前記表面カバーと嵌合することにより前記ベースを覆い、前記アイロン本体と前記スタンドとが球状をなすアイロン装置を提供するものであり、アイロン本体とスタンドから成るアイロン装置をコンパクトに纏め上げただけでなく、アイロン装置が球状となっていることから美観を起こすとともに、ベースの温度が低下してしまうのを防止することができ、さらに、高温となったベースに不用意に触れてしまうことを完全に防止できる。
【００１１】
また、スタンドの内周壁とベース外縁部との間に隙間を設けることにより、高温であるベースがスタンドと接することを防止したものである。
【００１２】
また、スタンドとアイロン本体における表面カバーとの接合部に相係合する段部を設けることにより、アイロン本体がスタンドから外れたり、アイロン本体の収納位置がずれ、ベースがスタンドに接することを防止したものである。
【００１３】
また、スタンドとアイロン本体における表面カバーとの接合部に隙間を設け、その隙間をスタンド内壁部とベース外縁部との隙間より狭くすることにより、スタンドからアイロン本体の出し入れが行いやすくなり、また隙間によりアイロン本体の収納位置にずれが生じたとしてもスタンドの内周壁にベースが接しないようにしたものである。
【００１４】
また、スタンドと表面カバーとの接合部にそれぞれ設けた段部の輪郭形状を略円形状とすることにより、アイロン本体をいかなる向きにでもスタンドに載せることができる。
【００１５】
また、段部の輪郭形状を略正多角形状にした場合には、アイロン本体をスタンドに載せる向きにある程度自由度を持たせつつ、不用意に回転してしまうことを防止できる。
【００１６】
また、スタンドの内周壁にベースのガイド部を設けることにより、スタンドの内周壁にベースが接したまま収納されることを防止すると共に、収納が容易にできるものである。
【００１７】
更に、平坦状のスタンドの底面に耐熱性の脚を複数設けることにより、スタンドの安定性が増すだけでなく、スタンドを裏返しに使用することにより、アイロン掛けの途中にアイロンをスタンド底面に一時的に載置することができ、利便性が向上するものである。
【００１８】
【実施例】
以下本発明の実施例について、図面を参照しながら説明する。
【００１９】
本発明のアイロン装置１は、アイロン本体２及びスタンド３から構成されている。
【００２０】
図１はアイロン本体２であり、円形状のベース４の上に略円形状のヒータ部５、略円形状のベースカバー６、半球状の中間カバー７、半球状の表面カバー８を順に略同軸上に重ねたものである。なお、中間カバー７と表面カバー８は、耐熱性を有するプラスチックを用いている。
【００２１】
ヒータ部５は、図２に示すように、ヒータ脇マイカ１１、マイカに熱線を巻き付けたヒータ巻きマイカ１２、ヒータ押え板１３により構成されており、ベース４の上にヒータ脇マイカ１１、ヒータ巻きマイカ１２、ヒータ脇マイカ１１、ヒータ押え板１３の順に積み上げられている。そして、ヒータ押え板１３の上には、ヒータ部５による加熱温度の上限値を決定するサーモスタット１４と温度ヒューズ１５、およびヒータ部５に通電されベース４が暖められる時などに点灯するランプ１６とが備えられている。
【００２２】
また、ベースカバー６の上にはベースカバー６を覆う半球状の中間カバー７とプラグ受け部１７が設けられており、プラグ受け部１７には電源供給を行うマグネットプラグ１８の着脱が可能である。マグネットプラグ１８に関しては、常時接続されている一般的なプラグでもよく、本発明に影響を及ぼすものではない。
【００２３】
上記の構成によるアイロン本体２に於て、使用者は表面カバー８を掌に当てながら作業を行い、従来のアイロンのような棒状の握り部がないためアイロンの小型化を実現できる。
【００２４】
また、ベースが円形であることや表面カバーが半球状であることから、使用者はアイロンを掛ける際に方向性を気にする必要がなく、握り部がなく掌全体で表面カバー８を保持して作業できることから、力の弱い子供やお年寄りにとって使い易いアイロンを提供できるものである。
【００２５】
図３（ａ）及び図３（ｂ）にはスタンド３が示されており、アイロン本体２との接合部には図４のように、外れ落ちたり収納位置がずれることを防止するための段部が形成されており、スタンド３の開口部１９の縁部２７とアイロン本体２の表面カバー８下方の縁部２８には相係合する段部２２、２３が設けられている。また、略球状のスタンド３の内周壁には複数のガイド部２４を設けられている。
【００２６】
また、収納時に於てアイロン本体２と相係合する段部２２、２３の間には若干の隙間３１が設けられており、収める時に余分な力がかからないように設計されている。
【００２７】
更に、図６に示すように、スタンド３のガイド部２４と高温を有するベース４の外縁部が接触しないように若干の隙間３２ができるように設計されており、相係合する段部２２、２３の間に設けられた隙間３１はガイド部２４とベース４の外縁部との間に設けられた隙間３２よりも狭くしている。これは、相係合する段部２２、２３の間に設けられた隙間３１によりアイロン本体２がずれ動く時にガイド部２４とベース４の外縁部がスタンド３に接触しないようにするためである。
【００２８】
なお、図３に示したスタンド３の内周壁に複数設けられたガイド部２４は、内周壁の全周一面に設けられてもよい。また、アイロン本体２の表面カバー８とスタンド３が接合することにより収納を行なうものとしたが、ベースカバー６とスタンド３を接合するように設計しても本発明に影響を及ぼすものではない。
【００２９】
上記アイロン本体２とスタンド３に於いて、アイロン掛け途中で一時的に作業を中断したい場合は、アイロン本体２をこのスタンド３に載せておくが、アイロン本体２のベース４がスタンド３内に完全に覆われて載置されるので、ベース４の温度が低下してしまうのを防止することができる。また、高温となったベース４に不用意に触れてしまうことを完全に防止でき、極めて安全となる。
【００３０】
また、アイロン掛けが終了した時も、アイロン本体２をスタンド３に収納するが、この時アイロン装置１は図５（ａ）及び図５（ｂ）に示すように球状をなしており、コンパクトに纏め上げただけでなく、アイロン装置１が球状となっていることから美観を起こす効果がある。
【００３１】
また、スタンド３の段部２２を有する縁部２７およびこれと相係合するアイロン本体２の表面カバー８の段部２３を有する縁部２８とは、それぞれ上方あるいは下方から見たときの輪郭形状を略円形状に形成してあり、アイロン本体２をいかなる向きにでもスタンド３に載せることができるし、使用する時に持ちやすい向きに回してからアイロン本体２を持つことができるようにしてある。
【００３２】
なお、この両方の縁部２７、２８の別な輪郭形状として、両方を略正多角形状にしても良い。この形状の場合は、アイロン本体２をスタンド３に載せられる向きは限られる反面、載せた状態で不用意に回転してしまうということは防止できる。前に述べたように、表面カバー８の代わりにベースカバー６をスタンド３に接合するように設計することもできるが、この場合は、ベースカバー６の輪郭形状をスタンド３に合わせて、略円形状もしくは略正多角形状にするのは言うまでもない。
【００３３】
更に、アイロン掛けを終了してアイロン本体２をスタンド３に収納した後のベース４の熱が放熱しやすいように、スタンド３の内周壁には複数の穴２５が設けられている。ただし、この穴２５は、あまり大きくしすぎると、アイロン掛け途中での載置時のベース温度低下防止効果が薄れるので、両方の性能のバランスを考慮して適切に設計されている。
【００３４】
なお、この複数の穴２５は、本実施例ではスタンド３の内周壁に設けたが、スタンド３の底部に設けても良いし、また穴ではなく溝としても放熱効果は得られるものである。
【００３５】
また、スタンド３の底部は安定性を良くするために平坦となっており、その底面には耐熱性の脚２６が設けられている。脚２６に関しては、安定性を保つためだけでなく、アイロン掛け途中で一時的に作業を中断したい場合などにスタンド３を裏返しにし、ベース４を脚２６の上に一時的に載せる使用法が考えられる。
【００３６】
【発明の効果】
本発明は、ヒータにより加熱されるベースの上方が表面カバーで覆われた半球状のアイロン本体と、上部に開口部を有し前記開口部が前記表面カバーと嵌合することにより前記ベースを覆い、前記アイロン本体と前記スタンドとが球状をなすアイロン装置を提供するものであり、アイロン本体とスタンドから成るアイロン装置をコンパクトに纏め上げ美観を起こすだけでなく、安全で使い勝手の良いアイロン装置を提供できるものである。
【図面の簡単な説明】
【図１】本発明の実施例を示すアイロン本体の横断面図
【図２】本発明の実施例を示すヒータ部付近の横断面図
【図３】本発明の実施例を示すスタンドの斜視図
【図４】本発明の実施例を示すアイロン本体とスタンドの接合部拡大図
【図５】本発明の実施例を示すアイロン装置の斜視図及び横断面図
【図６】本発明の実施例を示すスタンドのガイド部付近の拡大図
【符号の説明】
１  アイロン装置
２  アイロン本体
３  スタンド
４  ベース
５  ヒータ部
６  ベースカバー
７  中間カバー
８  表面カバー
１１  ヒータ脇マイカ
１２  ヒータ巻きマイカ
１３  ヒータ押え板
１４  サーモスタット
１５  温度ヒューズ
１６  ランプ
１７  プラグ受け部
１８  マグネットプラグ
１９  開口部
２２、２３  段部
２４  ガイド部
２５  穴
２６  脚
２７、２８  縁部
３１、３２  隙間
【図１】
2004275372.tif 000003
【図２】
2004275372.tif 000004
【図３】
2004275372.tif 000005
【図４】
2004275372.tif 000006
【図５】
2004275372.tif 000007
【図６】
2004275372.tif 000008